(57)【要約】【課題】浴槽のフランジ部の内周縁下方に形成されたフランジ段部に載せた風呂蓋の安定性が高い浴槽を提供する。【解決手段】浴槽１１０は、湯を溜める浴槽本体１１１の上端縁の周囲にフランジ部１１２を有する。浴槽本体１１１の長手方向に沿うフランジ部１１２の内周縁に、フランジ部１１２の上面より低いフランジ段部１１４が形成されており、フランジ段部１１４は、浴槽本体１１１の短手方向の幅が狭い幅狭部分３１と、幅狭部分３１よりも幅が広い幅広部分３２とを有する。【選択図】図４
2017119011.tif 000002
【特許請求の範囲】
【請求項１】
湯を溜める浴槽本体の上端縁の周囲にフランジ部を有する浴槽であって、
前記浴槽本体の長手方向に沿う前記フランジ部の内周縁に、該フランジ部の上面より低いフランジ段部が形成されており、
前記フランジ段部は、前記浴槽本体の短手方向の幅が狭い幅狭部分と、該幅狭部分よりも幅が広い幅広部分とを有することを特徴とする浴槽。
【請求項２】
前記フランジ段部は、前記長手方向の一端側に前記幅狭部分を、他端側に前記幅広部分を有することを特徴とする請求項１に記載の浴槽。
【請求項３】
前記浴槽本体の前記一端側の底面より高い平坦な第１段部を前記他端側に設けたことを特徴とする請求項２に記載の浴槽。
【請求項４】
前記幅広部分の下方における前記浴槽本体の内側面に追い炊きアダプターを装着したことを特徴とする請求項１から３のいずれか１項に記載の浴槽。
【請求項５】
前記内側面は、上下方向の中途部から前記浴槽本体の底面にかけて内向きに膨出して該中途部に第２段部が形成されており、
前記第２段部の下方における前記内側面に前記追い炊きアダプターを装着したことを特徴とする請求項４に記載の浴槽。
【発明の詳細な説明】
【技術分野】
【０００１】
本発明は、浴槽に関する。
【背景技術】
【０００２】
浴槽は、湯を溜める浴槽本体と、浴槽本体の上端縁のフランジ部とを備える。浴槽は、フランジ部に風呂蓋を載せ、浴槽本体に溜めた湯を保温する。風呂蓋は、保温性を高めるべく発泡樹脂等の断熱素材からなる芯材を有する蓋本体と、蓋本体の両面の縁部および外周端面を覆って補強する被覆部とを備える。
【０００３】
例えば、特許文献１には、浴槽本体の長手方向の一端側に半身浴用のアームレストを、他端側に全身浴用のアームレストを設け、半身浴用のアームレストの幅を全身浴用のアームレストの幅よりも広くした浴槽が開示されている。また、特許文献２には、浴槽本体に半身浴用ステップを有し、浴槽本体の半身浴用ステップを設けた側の内周にアームレストを形成した浴槽が開示されている。また、特許文献３には、浴槽本体の上端縁に上端面から一段低い段差面が設けられ、該段差面に移乗台を載せる浴槽が開示されている。
【先行技術文献】
【特許文献】
【０００４】
【特許文献１】特開２０１２−４００８９号公報
【特許文献２】特開２００６−１３０１３６号公報
【特許文献３】特開２００１−２９２９２３号公報
【発明の概要】
【発明が解決しようとする課題】
【０００５】
ところで、浴槽は、フランジ部の内周縁下方に形成されたフランジ段部に風呂蓋を載せ、椅子やテーブル代わりとして利用する多機能化が期待されている。特許文献１および特許文献２は、アームレストの幅および配置について開示するが、風呂蓋を載せるフランジ段部の構成について開示していない。
【０００６】
また、特許文献３に記載の浴槽は、浴槽本体の周囲に一様に段差面が設けられているため、風呂蓋に着座して使用する場合に、風呂蓋の安定性の向上が十分ではなかった。
【０００７】
本発明は、斯かる事情に鑑みてなされたものであり、その目的とするところは、浴槽のフランジ部の内周縁下方に形成されたフランジ段部に載せた風呂蓋の安定性が高い浴槽を提供することにある。
【課題を解決するための手段】
【０００８】
本発明に係る浴槽は、湯を溜める浴槽本体の上端縁の周囲にフランジ部を有する浴槽であって、前記浴槽本体の長手方向に沿う前記フランジ部の内周縁に、該フランジ部の上面より低いフランジ段部が形成されており、前記フランジ段部は、前記浴槽本体の短手方向の幅が狭い幅狭部分と、該幅狭部分よりも幅が広い幅広部分とを有することを特徴とする。
【０００９】
本発明にあっては、浴槽は、フランジ段部に幅広部分を有するので、風呂蓋を幅広部分に載せたときに接触面が広く、風呂蓋の安定性が高くなる。
【発明の効果】
【００１０】
本発明によれば、浴槽は、フランジ段部に幅広部分を有するので、風呂蓋を幅広部分に載せたときに接触面が広く、風呂蓋の安定性が高くなる。
【図面の簡単な説明】
【００１１】
【図１】実施形態に係る浴槽の使用状態を示す斜視図である。
【図２】実施形態に係る浴槽の外観を示す斜視図である。
【図３】実施形態に係る浴槽の外観を示す別角度から見た斜視図である。
【図４】実施形態に係る浴槽の平面図である。
【図５】図４のＡ−Ａ線による浴槽の断面図である。
【図６】風呂蓋の外観を示す斜視図である。
【図７】風呂蓋に着座して使用する場合の使用状態を示す模式図である。
【図８】変形例に係る浴槽の平面図である。
【図９】別の変形例に係る浴槽の平面図である。
【発明を実施するための形態】
【００１２】
以下、本発明を好適な実施の形態をもとに図１から図９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
図１は本発明の実施形態に係る浴槽１１０の使用状態を示す斜視図、図２は本発明の実施形態に係る浴槽１１０の外観を示す斜視図、図３は本発明の実施形態に係る浴槽１１０の外観を示す別角度から見た斜視図である。尚、図１は、後述する風呂蓋１００のクッション材１４を上側に向けた状態を表している。浴槽１１０は、上部に風呂蓋１００が載せられ、図示しない他の風呂蓋とともに浴槽１１０に溜めた湯を保温する。風呂蓋１００は、湯の保温以外にユーザが着座することや、浴槽１１０内にユーザが浸かった状態等でテーブル代わりとしても使用される。
【００１４】
浴槽１１０は、湯を溜める浴槽本体１１１を有し、平面視矩形状である。浴槽本体１１１の上端縁には、フランジ部１１２が形成されている。フランジ部１１２の内周縁下方には、フランジ部１１２の上面より低く１段下がったフランジ段部１１４が設けられている。図１から図３に示す浴槽１１０は、フランジ段部１１４が浴槽本体１１１の長手方向に沿うフランジ部１１２の長辺２辺、および長手方向の端部におけるフランジ部１１２の短辺２辺の内周縁に設けられている。浴槽１１０は、フランジ段部１１４がフランジ部１１２の長辺２辺の内周縁にのみ設けられていても良いし、長辺２辺および短辺１辺の内周縁に設けられていても良い。フランジ段部１１４は、浴槽本体１１１の長手方向の途中で切れているような形であってもよく、長手方向全体に設けられていなくてもよい。また、浴槽１１０のフランジ部１１２は、短辺側が円弧となる形状を有していてもよい。例えば、浴槽１１０の端部１１５の内周縁が円弧状であってもよい。端部１１５の円弧状の内周縁に沿ってフランジ段部１１４が形成されていてもよいし、フランジ段部１１４が形成されずに端部１１５の内周縁が浴槽本体１１１の内側面に連なり、浴槽本体１１１の端部１１５側の内側面が円弧状となっているものでもよい。フランジ段部１１４には、後述するように幅狭部分３１と幅広部分３２を形成されているが、フランジ段部１１４が円弧状となるように幅狭部分３１と幅広部分３２が形成されていてもよい。尚、浴槽１１０の外形形状は、平面視矩形状に限らず、楕円形状や、湾曲した辺を有する形状等であってもよい。
【００１５】
風呂蓋１００は、浴槽１１０のフランジ段部１１４のいずれかの箇所に載せられる。風呂蓋１００は、洗い場に設けられたカウンター１１６とほぼ同じ高さにあり、浴槽１１０の長手方向の端部１１５に寄せて位置させた状態で、ユーザが風呂蓋１００およびカウンター１１６間を移乗して動作するのに適する。
【００１６】
浴槽本体１１１の長辺側の内側面における上下方向の中途部には、段部１１７および第２段部１１８が設けられている。浴槽本体１１１の長辺側の内側面は、上下方向の中途部から浴槽本体１１１の底面１２１にかけて内向きに膨出し、該中途部に段部１１７および第２段部１１８が形成されており、段部１１７および第２段部１１８はともに同じ高さにある。段部１１７は、浴槽１１０の端部１１５と反対側の端部側に設けられており、アームレストとして使用される。
【００１７】
第２段部１１８は、浴槽１１０の長手方向の中央部やや端部１１５側寄りの位置にある。第２段部１１８の下方の内側面１１９には追い炊きアダプター１２０が装着されている。追い炊きアダプター１２０は、浴槽本体１１１の内側面１１９に設けた穴を貫通して外壁面１２３から突出し、給水管および取水管が接続される。浴槽本体１１１の密閉性を保つため、追い炊きアダプター１２０を装着した穴の周囲はパッキン等で塞がれる。また、外壁面１２３側に設けた水受箱１２４は、追い炊きアダプター１２０で結露した水の受け皿となる。また、浴槽１１０の端部１１５側には、浴槽本体１１１の底面１２１より高い平坦な第１段部１２２が形成されている。第１段部１２２は、足置きステップとして使用される。
【００１８】
図４は実施形態に係る浴槽１１０の平面図である。浴槽本体１１１の長手方向に沿うフランジ部１１２の長辺２辺の内周縁に設けられたフランジ段部１１４は、幅Ｗが狭い幅狭部分３１と、幅狭部分３１より幅Ｗが広い幅広部分３２とを有する。幅広部分３２は、浴槽１１０の端部１１５側に形成されている。幅広部分３２は、浴槽１１０の中央側で幅Ｗが狭く、端部１１５側で広くなるように形成されている。幅狭部分３１は、端部１１５と反対側の端部側に形成されている。幅狭部分３１と幅広部分３２は、なだらかに接続されている。
【００１９】
また、フランジ部１１２の短辺２辺の内周縁に設けられたフランジ段部１１４は、浴槽１１０の端部１１５側におけるフランジ段部１１４の幅Ｗが広く、端部１１５と反対側の端部側におけるフランジ段部１１４の幅Ｗが狭くなるように形成されている。
【００２０】
追い炊きアダプター１２０は、幅広部分３２下方の内側面１１９に装着されている。また、第２段部１１８は、幅広部分３２の下方に位置している。上述のように、追い炊きアダプター１２０は、第２段部１１８下方の内側面１１９に装着されている。
【００２１】
図５は、図４のＡ−Ａ線による浴槽１１０の断面図である。追い炊きアダプター１２０を装着する浴槽本体１１１の内側面１１９は、追い炊きアダプター１２０の上方に設けられたフランジ段部１１４の幅広部分３２および第２段部１１８のために、浴槽本体１１１の内方向に張り出している。浴槽１１０を設置する際、追い炊きアダプター１２０への配管作業が行われる。作業者は、浴槽１１０と洗い場を仕切る仕切りパネル１３１を取り外した状態で、床面１３０側に位置し、手を伸ばして浴槽１１０の中央部の下側での配管作業を行う。
【００２２】
図６は、風呂蓋１００の外観を示す斜視図である。風呂蓋１００は、矩形板状をなす蓋本体１を備え、蓋本体１の周縁部２で浴槽１１０のフランジ段部１１４に接触する。蓋本体１は、発泡ポリスチレン等の発泡樹脂製の芯材の両面を表面材で覆い、厚み方向の一方向側にクッション材１４が設けられている。表面材は、ガラス繊維に合成樹脂を含浸した繊維強化樹脂（ＦＲＰ）の薄板である。表面材は、例えば保護膜としてポリプロピレン製シートを貼り付けてあり、例えば革シボ調の表面加工を施し、意匠性を高めてある。
【００２３】
クッション材１４は発泡ポリエチレン等の発泡樹脂製である。クッション材１４は、縁部において、長辺１辺に沿う隆起部１４ａおよび短辺２辺に沿う隆起部１４ｂを有する。隆起部１４ａおよび１４ｂは連続している。クッション材１４は、隆起部１４ａを設けた長辺に対向する長辺の縁部においては、隆起部分を有しない。クッション材１４表面の隆起は、全体としてＣ字状をなす。隆起部１４ａおよび１４ｂは、視覚的に着座の方向性を示すとともに、ユーザの座り心地を良くしている。尚、クッション材１４は、例えば革シボ調の表面加工を施し、意匠性を高めてある。
【００２４】
周縁部２は、風呂蓋１００の短辺２辺に沿って延びる被覆部２１、風呂蓋１００の長辺１辺に沿って延びる被覆部２２、該長辺に対向する長辺１辺に沿って延びる被覆部２３を有する。
【００２５】
次に、浴槽１１０について説明する。図７は風呂蓋１００に着座して使用する場合の使用状態を示す模式図である。風呂蓋１００にユーザが着座して使用する場合、風呂蓋１００は、クッション材１４側を上にして浴槽１１０のフランジ段部１１４に載せる。クッション材１４は、ユーザが風呂蓋１００に着座したときに、適度な反発力で体重を支え、長時間の着座を可能にする。また、蓋本体１は、芯材の厚み方向の両面を繊維強化樹脂製の表面材で覆っているので、強度が高く、ユーザの体重に耐える。クッション材１４の表面に革シボ調などの表面加工を施し、ユーザとの接触面を減らすような微細な凹凸があると、座った時に冷やっとする感覚を抑えることもできる。
【００２６】
クッション材１４の隆起部１４ａおよび１４ｂは、上述のとおり、全体としてＣ字状をなし、視覚的に着座の方向性を示す。即ち、隆起部１４ａおよび１４ｂは、隆起部１４ａを背中側にして着座することで、座り易くなる印象をユーザに与える。ユーザが隆起部１４ａを背中側にして着座したとき、大腿部は、縁部に沿って隆起のないクッション材１４の長辺に位置し、座り易い。
【００２７】
風呂蓋１００を浴槽１１０の端部１１５側に寄せた位置に置いた状態で、風呂蓋１００は、フランジ段部１１４の幅広部分３２で支持される。風呂蓋１００は、幅広部分３２で支持されることによって、フランジ段部１１４との接触面が広くなるので、安定性が高い。また、浴槽１１０の端部１１５側におけるフランジ部１１２の短辺の内周縁に形成されたフランジ段部１１４は、幅Ｗが広いため、対応する風呂蓋１００の一長辺側の周縁部２との接触面が広くなり、風呂蓋１００の安定性が高くなる。
【００２８】
端部１１５側には、足置きステップとしての第１段部１２２が設けられているので、ユーザは、端部１１５側に足を向けて入浴することになる。入浴する際は、端部１１５とは反対側を背中面として、浴槽１１０内に着座し、端部１１５側に足を向ける、このとき、第１段部１２２にちょうど足が掛かる状態になるので、浴槽１１０内で安定して座ることができる。もちろんユーザによっては足を伸ばした状態であったり、曲げた状態であったり体の大きさにより足の掛かり状態は多少異なる。フランジ段部１１４の幅広部分３２は、幅広部分３２の下方における浴槽本体１１１の内側面を内向きに張り出させてしまうが、入浴中のユーザにとって足元側に位置し、空間的には浴槽本体１１１の短手方向に余裕があるので、空間的に狭いという印象をユーザに与え難く、圧迫感が少ない。
【００２９】
一方、ユーザの上半身は、フランジ段部１１４の幅狭部分３１側に位置する。浴槽１１０は、幅狭部分３１の幅Ｗが狭く、浴槽１１０の短手方向の寸法を大きくとれるので、ユーザは広々と入浴することができ、ユーザにリラックス感を与える。
【００３０】
上述のとおり、追い炊きアダプター１２０は、フランジ段部１１４の幅広部分３２および第２段部１１８の下方における浴槽本体１１１の内側面１１９に装着されている。内側面１１９は浴槽本体１１１の内方向に張り出しているため、洗い場の床面１３０における浴槽１１０側の縁部と、外壁面１２３との間の空間が広い。浴槽１１０を設置する際、作業者は、仕切りパネル１３１を取り外し、広い空間で、追い炊きアダプター１２０への配管作業を行うことができ、作業性が良くなる。
【００３１】
また、第２段部１１８は、アームレストとして使用される段部１１７と同じ高さにあり、ユーザにとってアームレストの延長として認識され違和感がない。第２段部１１８は、第２段部１１８の下方の内側面１１９を内向きに張り出させてしまうが、入浴中のユーザにとって足元側に位置し、空間的には浴槽本体１１１の短手方向に余裕があるので、空間的に狭いという印象をユーザに与え難く、圧迫感が少ない。
【００３２】
上述の実施形態では、フランジ段部１１４の幅広部分３２を浴槽１１０の端部１１５側に設けた例を示したが、幅広部分３２を浴槽１１０の長手方向の中途部に設け、両端部に幅狭部分３１を設けるようにしても良い。また、幅広部分３２を浴槽１１０の長手方向の両端部に設け、中央部に幅狭部分３１を設けるようにしても良い。
【００３３】
次に、実施形態の浴槽１１０の特徴を説明する。
本発明の実施形態の浴槽１１０は、湯を溜める浴槽本体１１１の上端縁の周囲にフランジ部１１２を有する。浴槽本体１１１の長手方向に沿うフランジ部１１２の内周縁に、フランジ部１１２の上面より低いフランジ段部１１４が形成されている。フランジ段部１１４は、浴槽本体１１１の短手方向の幅が狭い幅狭部分３１と、幅狭部分３１よりも幅が広い幅広部分３２とを有する。浴槽１１０は、フランジ段部１１４に幅広部分３２を有するので、風呂蓋１００を幅広部分３２に載せたときに接触面が広く、風呂蓋１００の安定性が高くなる。
【００３４】
また、浴槽１１０は、フランジ部１１２が、浴槽本体１１１の長手方向の一端側に幅狭部分３１を有し、他端側である浴槽１１０の端部１１５側に幅広部分３２を有する。浴槽１１０は、端部１１５側の幅広部分３２に風呂蓋１００を幅広部分３２に載せたときに接触面が広く、風呂蓋１００の安定性が高くなる。
【００３５】
また、浴槽１１０は、浴槽本体１１１の一端側の底面１２１より高い平坦な第１段部１２２を他端側である浴槽１１０の端部１１５側に有する。第１段部１２２は足置きステップとして使用される。幅広部分３２は、幅広部分３２の下方における浴槽本体１１１の内側面を内向きに張り出させてしまうが、入浴中のユーザにとって足元側に位置し、空間的には浴槽本体１１１の短手方向に余裕があるので、空間的に狭いという印象をユーザに与え難く、圧迫感が少ない。
【００３６】
また、浴槽１１０は、幅広部分３２の下方における浴槽本体１１１の内側面１１９に追い炊きアダプター１２０が装着されている。幅広部分３２があるため、内側面１１９は浴槽本体１１１の内方向に張り出しているが、洗い場の床面１３０における浴槽１１０側の縁部と、外壁面１２３との間の空間は広くなる。作業者は、浴槽１１０を設置する際、広い空間で、追い炊きアダプター１２０への配管作業が行うことができ、作業性が良くなる。
【００３７】
また、浴槽１１０は、内側面１１９が上下方向の中途部から浴槽本体１１１の底面１２１にかけて内向きに膨出して該中途部に第２段部１１８が形成されており、追い炊きアダプター１２０が第２段部１１８の下方の内側面１１９に装着されている。第２段部１１８があるため、内側面１１９は浴槽本体１１１の内方向に更に張り出すこととなるが、洗い場の床面１３０における浴槽１１０側の縁部と、外壁面１２３との間の空間が広くなる。作業者は、浴槽１１０を設置する際、広い空間で、追い炊きアダプター１２０への配管作業が行うことができ、作業性が更に良くなる。
【００３８】
次に、変形例について説明する。
図８は、変形例に係る浴槽１１０の平面図である。変形例に係る浴槽１１０は、フランジ段部１１４がフランジ部１１２における両長辺の内周縁にのみ設けられている。フランジ段部１１４は、幅狭部分３１と、幅狭部分３１より幅Ｗが広い幅広部分３２とを有する。幅広部分３２は、幅Ｗがほぼ一定であり、浴槽１１０の端部１１５側に形成されている。幅狭部分３１は、端部１１５と反対側の端部側に形成されている。幅狭部分３１と幅広部分３２は、なだらかに接続されている。
【００３９】
風呂蓋１００は、フランジ段部１１４の幅広部分３２における長手方向のどの位置に載せたときにも、幅広部分３２の幅Ｗがほぼ一定であるので、フランジ段部１１４との接触面が広く、安定性が高い。
【００４０】
次に、変形例について説明する。
図９は、別の変形例に係る浴槽１１０の平面図である。この変形例に係る浴槽１１０は、フランジ段部１１４がフランジ部１１２における両長辺の内周縁にのみ設けられている。フランジ段部１１４は、幅狭部分３１と、幅狭部分３１より幅Ｗが広い幅広部分３２とを有する。幅広部分３２は、浴槽１１０の端部１１５側に形成されている。幅広部分３２は、浴槽１１０の中央側で幅Ｗが狭く、端部１１５側で広くなるように形成されている。幅狭部分３１は、端部１１５と反対側の端部側に形成されている。幅狭部分３１と幅広部分３２は、なだらかに接続されている。
【００４１】
風呂蓋１００を浴槽１１０の端部１１５側に寄せた位置に置いた状態で、風呂蓋１００は、フランジ段部１１４の幅広部分３２で支持される。風呂蓋１００は、幅広部分３２で支持されることによって、フランジ段部１１４との接触面が広くなるので、安定性が高い。フランジ段部１１４に幅広部分３２と幅狭部分３１を有することで、幅広部分３２で浴槽１１０内の容積が減るが、幅狭部分３１で浴槽１１０内の容積を確保することができる。また、幅が違う部分があることで、風呂蓋１００を置いて座る際に、風呂蓋１００を置く位置を間接的に指示しており、より安定した箇所に座りたいという人間の心理面を考慮した形状となっている。
【００４２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４３】
１１０  浴槽、  １１１  浴槽本体、  １１２  フランジ部、
１１４  フランジ段部、  ３１  幅狭部分、  ３２  幅広部分、  １１８  第２段部、
１２０  追い炊きアダプター、  １２２  第１段部。
【図１】
2017119011.tif 000003
【図２】
2017119011.tif 000004
【図３】
2017119011.tif 000005
【図４】
2017119011.tif 000006
【図５】
2017119011.tif 000007
【図６】
2017119011.tif 000008
【図７】
2017119011.tif 000009
【図８】
2017119011.tif 000010
【図９】
2017119011.tif 000011